(57)【要約】【課題】  所定の再生規格が取り扱うことのできる領域以外に保存された情報を、該再生規格に依存することなく再生する。【解決手段】  ＣＰＵ２１により、ＰＣからコピーするなどしてユーザが画像記録部２４の非DCF規格の場所へ画像データを保存した場合など、ＤＳＣ２では再生できない位置に配された画像データを、制御リストヘ自動またはユーザの指示で追加することにより、制御リストを通じて画像を再生する。【選択図】  図２
2006050001.tif 000002
【特許請求の範囲】
【請求項１】
記録媒体内の自己に適用された再生規格が取り扱うことのできる領域以外の位置に存在するコンテンツを検索するコンテンツ検索手段と、
前記コンテンツ検索手段が検索した前記コンテンツのファイルパスを取得するファイルパス取得手段と、
前記ファイルパス取得手段によって取得した前記ファイルパスを前記再生規格に基づいた制御リストに登録する制御リスト登録手段と、
前記制御リストを通じて前記コンテンツを再生するリスト再生手段と
を備えたことを特徴とする情報再生装置。
【請求項２】
前記コンテンツ検索手段は、前記記録媒体内の全ての前記コンテンツを検索する
ことを特徴とする請求項１に記載の情報再生装置。
【請求項３】
前記コンテンツ検索手段が検索する前記コンテンツの種別を指定する検索コンテンツ指定手段
を備えたことを特徴とする請求項１または２に記載の情報再生装置。
【請求項４】
前記コンテンツ検索手段は、前記再生規格が取り扱うことのできる領域以外の位置に存在するコンテンツを検索する第１の検索手段と、前記記録媒体内の全てのコンテンツを検索する第２の検索手段とを有し、
前記制御リストは、前記第１の検索手段が検索した前記コンテンツのファイルパスを登録する第１の制御リストと、前記第２の検索手段が検索した前記コンテンツのファイルパスを登録する第２の制御リストとからなる
ことを特徴とする請求項１に記載の情報再生装置。
【請求項５】
前記制御リストは階層構造をなす
を備えたことを特徴とする請求項１ないし４に記載の情報再生装置。
【請求項６】
前記コンテンツ検索手段は、前記再生規格が取り扱うことのできる領域以外の位置に存在するコンテンツを検索する第１の検索手段と、前記記録媒体内の全てのコンテンツを検索する第２の検索手段とを有し、
前記制御リストは、前記第１の検索手段が検索した前記コンテンツのファイルパスを登録する第１の領域と、前記第２の検索手段が検索した前記コンテンツのファイルパスを登録する第２の領域とを有する
ことを特徴とする請求項１に記載の情報再生装置。
【請求項７】
前記ファイルパス取得手段が取得したファイルパスと、前記制御リスト内のファイルパスとを比較するファイルパス比較手段を備え、
前記制御リスト登録手段は、前記ファイルパス比較手段の比較結果に基づき、前記制御リスト内のファイルパスを更新する
を備えたことを特徴とする請求項１ないし６に記載の情報再生装置。
【請求項８】
前記記録媒体内の前記制御リストを検索する制御リスト検索手段と、
前記制御リスト検索手段により前記制御リストが未検出の場合に、新規に制御リストを生成する制御リスト生成手段と
を備えたことを特徴とする請求項１に記載の情報再生装置。
【請求項９】
自己に適用された再生規格が取り扱うことのできる領域以外の位置に存在する
少なくとも自己に適用された再生規格に基づいてコンテンツを再生する情報再生装置において、
記録媒体内の前記再生規格が取り扱うことのできる領域以外の位置に存在するコンテンツを検索するコンテンツ検索手段と、
前記コンテンツ検索手段が検索した前記コンテンツのファイルパスを取得するファイルパス取得手段と、
前記ファイルパス取得手段によって取得した前記ファイルパスと前記再生規格に基づいた制御リスト内のファイルパスとを比較するファイルパス比較手段と、
前記ファイルパス比較手段の比較結果に基づき、少なくとも前記ファイルパス取得手段が検知した前記ファイルパスを前記制御リストに登録する制御リスト登録手段と、
前記制御リストを通じて前記コンテンツを再生するリスト再生手段と
を備えたことを特徴とする情報再生装置。
【請求項１０】
前記制御リストを検索する制御リスト検索手段と、
前記制御リスト検索手段により前記制御リストが未検出の場合、新規に制御リストを生成する制御リスト生成手段と
を備えたことを特徴とする請求項１または９に記載の情報再生装置。
【発明の詳細な説明】
【技術分野】
【０００１】
本発明は、制御リストを通じて情報を再生する情報再生装置に関する。
【背景技術】
【０００２】
従来より、デジタルスチルカメラ（ＤＳＣ）では、異なるＤＳＣ間でも撮影画像を互いに再生できるように、DCF規格としてファイルの保存場所、ファイル名などを規定している。DVDにおいても、動画ファイルや音声ファイルの保存場所を、DVD-video、DVD-Audio規格として規定している。
【０００３】
また、制御リストを用い、制御リスト内にファイルの所在を示すことがなされている。この制御リストによる画像再生が可能な装置では、制御リスト内に記述されたファイルの所在を利用することで、高速かつ簡便に撮影画像を扱うことが行われている。
【０００４】
特開平１１−２３２４４０号公報に見られるように、画像の制御リストの作成・更新は、
（１）画像再生中にユーザが指示して制御リストに追加する
（２）撮影時に自動的に制御リストに追加する
というような方法が採られている。
【０００５】
例えばユーザがＤＳＣ上で撮影した以外の画像を見たいという理由で、DCF規格に従った保存場所ヘ画像がコピーされたならば、ＤＳＣ上で通常に再生ができ、また再生中にユーザの指示により制御リストヘの登録も可能となる。
【特許文献１】特開平１１−２３２４４０号公報
【発明の開示】
【発明が解決しようとする課題】
【０００６】
しかしながら、ユーザがDCF規格とは関係ない保存場所ヘコピーするということは十分に考えられ、その場合では、DCF規格とは無関係なので通常の再生はできず、そのためにその画像は制御リストヘの登録もできなくなる。そのため、制御リストによる画像再生が可能な装置であっても、
（１）DCF規格に従った画像再生、
（２）制御リストに従った画像再生、
どちらも行うことができず、ユーザは一部の画像をＤＳＣ上で見ることができないという問題がある。
【０００７】
本発明は、上記事情に鑑みてなされたものであり、所定の再生規格が取り扱うことのできる領域以外に保存された情報を、該再生規格に依存することなく再生することのできる情報再生装置を提供することを目的としている。
【課題を解決するための手段】
【０００８】
本発明の情報再生装置は、
記録媒体内の自己に適用された再生規格が取り扱うことのできる領域以外の位置に存在するコンテンツを検索するコンテンツ検索手段と、
前記コンテンツ検索手段が検索した前記コンテンツのファイルパスを取得するファイルパス取得手段と、
前記ファイルパス取得手段によって取得した前記ファイルパスを前記再生規格に基づいた制御リストに登録する制御リスト登録手段と、
前記制御リストを通じて前記コンテンツを再生するリスト再生手段と
を備えて構成される。
【発明の効果】
【０００９】
本発明によれば、所定の再生規格が取り扱うことのできる領域以外に保存された情報を、該再生規格に依存することなく再生することができるという効果がある。
【発明を実施するための最良の形態】
【００１０】
以下、図面を参照しながら本発明の実施例について述べる。
【実施例１】
【００１１】
図１ないし図１３は本発明の実施例１に係わり、図１はＤＳＣの背面構成を示す外観図、図２は図１のＤＳＣの構成を示すブロック図、図３は図１のＤＳＣでの画像・音声・動画等のコンテンツからなるフォルダ構成を示す図、図４は図１のＣＰＵ２１による制御リストの作成処理の流れを示すフローチャート、図５は図４の再生不可位置ファイルの制御リスト追加処理の流れを示すフローチャート、図６は図４及び図５で生成された制御リストを含むフォルダ構成を示す図、図７は図６の制御リストの構成を示す図、図８は図１のＣＰＵ２１によるファイル再生処理の流れを示すフローチャート、図９は図８の処理を説明する第１の図、図１０は図８の処理を説明する第２の図、図１１は図８の処理を説明する第３の図、図１２は図８の処理を説明する第４の図、図１３は図８の処理を説明する第５の図である。
【００１２】
図１に示すように、本実施例のデジタルスチルカメラ（以下、ＤＳＣ）２の背面には、被写体を撮影した画像を表示したり各種設定画面を表示する液晶表示部４と、被写体像を確認するファインダ５と、ＤＳＣ２の電源オン状態を示すパワーＬＥＤ６と、液晶表示部４に表示される各種設定画面上での操作データを入力する選択／決定ボタン９等とが設けられ、ＤＳＣ２の上部には、画像の撮像を指示するシャッタ１０と、ＤＳＣ２における撮影モード及び操作モード等のモードを選択するモード選択ダイヤル１１等が設けられている。
【００１３】
図２に示すように、ＤＳＣ２は、撮像装置２０と、圧縮伸長エンジン１９，ＣＰＵ２１，ＲＯＭ２２，ＲＡＭ２３，画像記録部２４，ファイル管理部２５，外部Ｉ／Ｆ２６を備え、ＲＯＭ２２に格納されている制御プログラムに従いＲＡＭ２３を用いてＣＰＵ２１が各種制御を行うようになっている。
【００１４】
撮影時には、圧縮伸長エンジン１９は、ＣＰＵ２１からの指示によりＲＡＭ２３内の撮像データをＣＰＵ２１が指定するフォーマットの画像へと圧縮する。圧縮された画像は、ＣＰＵ２１からの指示によりファイル管理部２５を通して画像記録部２４に記録される。
【００１５】
再生時には、圧縮伸長エンジン１９は、ＣＰＵ２１からの指示により画像記録部２４内の画像を、記録されているフォーマットに従い伸長する。伸長された画像データは、液晶表示部４に再生される。
【００１６】
画像記録部２４は、スマートメディアを始めとする半導体メモリ、あるいは磁気メモリ、ハードディスクなどの磁気ディスク、ＣＤ、ＤＶＤなどの光ディスク、ＭＯなどの光磁気ディスク、上記の組み合わせ、などであってもよい。あるいは、画像記録部２４は単数である必要は無く、複数の記録媒体からなっていても構わない。
【００１７】
画像記録部２４に格納された複数の画像データは液晶表示部４に縮小されて表示ができ、選択／決定ボタン９を用いて所望の画像データを図示しないＰＣ（パーソナルコンピュータ）等からコピーしたり、ＰＣに保存させることができるようになっている。
【００１８】
図３は、ＤＳＣ２の画像記録部２４に格納された、画像・音声・動画等のコンテンツファイル等からなるフォルダ構成の例である。撮影されたコンテンツはDCIMフォルダ以下にDCF規格に従って格納されている。一方、ＰＣからコピーされたコンテンツはDCF規格とは無関係に存在し得て、図３では例えば××旅行という名のフォルダ内やrootの直下に入っている。
【００１９】
本実施例では、ＰＣからコピーするなどしてユーザが非DCF規格の場所へ画像データを保存した場合など、ＤＳＣでは再生できない位置に配された画像データを、制御リストヘ自動またはユーザの指示で追加することにより、制御リストを通じて画像を再生できるようにする。
【００２０】
詳細には、図４に示すように、ＣＰＵ２１は、まずステップＳ１にて画像記録部２４にＤＳＣ２の再生規格では取り扱うことのできない領域にファイルが存在するかどうかを判断する。
【００２１】
そして、ＤＳＣ２の再生規格では取り扱うことのできない領域にファイルが存在する場合には、ステップＳ２にてrootの直下に制御リストが存在するかどうかを判断する。制御リストが存在しない場合は、ステップＳ３にてrootの直下に制御リストを新規に作成してステップＳ４に進み、制御リストが存在する場合にはそのままステップＳ４に進む。
【００２２】
ステップＳ４では、後述する再生不可位置ファイルの制御リスト追加処理を実行して再生規格では取り扱うことのできない領域に存在するファイルのファイルパスを制御リストに追加する処理を行い、ステップＳ５にて画像記録部２４内のファイル検索が終了するまで再生不可ファイル制御リスト追加処理を繰り返す。
【００２３】
なお、「再生規格では取り扱うことのできない領域に存在するファイル」を単に「再生不可位置ファイル」とも記す。
【００２４】
ステップＳ４の再生不可位置ファイルの制御リスト追加処理は、図５に示すように、ステップＳ１１にて画像記録部２４内より再生規格では取り扱うことのできない領域に存在するファイルの検索を行い、ステップＳ１２にて検索したファイルのファイルパスを取得する。そして、ステップＳ１３にて取得したファイルパスと制御リスト内のファイルパスとを比較し、ステップＳ１４にて制御リスト内に取得したファイルパスと同一のファイルパスが存在するかどうか判断し、同一のファイルパスが存在しない場合には制御リストに新たに取得したファイルパスを追加して処理を終了する。
【００２５】
図４及び図５に示した処理を実行することで、図６に示すように、画像記録部２４内のrootの直下に制御リストであるalbum.lstが生成される。この制御リストalbum.lstには、図７に示すように、非DCF規格の位置にあるファイルである、例えば××旅行という名のフォルダ内のファイルやrootの直下のファイルのファイルパスが登録されている。
【００２６】
本実施例では、ＣＰＵ２１は、DCF規格に基づきDCIMフォルダ内のファイルの再生を実行すると共に、非DCF規格の位置にあるファイルは制御リストalbum.lstのファイルパスに基づき再生する。
【００２７】
すなわち、ファイル再生処理においては、ＣＰＵ２１は、図８に示すように、ステップＳ２１にて再生開始と共に再生モードを通常再生モードに設定する。
【００２８】
なお、通常再生モードとは、DCF規格に基づくDCIMフォルダ内のファイルの再生を行う再生モードである。
【００２９】
そして、ステップＳ２２にて、図９に示すように液晶表示部４にDCIMフォルダ内の先頭画像を表示し、ステップＳ２３にて液晶表示部４に、図１０に示すような通常再生モード及びリスト再生モードを選択するモード選択アイコン５１、５２を重畳表示させる。ここで、通常再生モードが設定されているので、モード選択アイコン５１が所望の色（図では斜線ハッチング）表示される。
【００３０】
なお、リスト再生モードとは、非DCF規格の位置にあるファイルを制御リストalbum.lst内のファイルパスに基づき再生する再生モードである。
【００３１】
次に、ステップＳ２４にて選択／決定ボタン９の操作によりモード選択アイコン５１、５２が選択されたかどうか判断し、選択されると、ステップＳ２５にて選択されたモード選択アイコンの色表示に変更され、ステップＳ２６にて選択／決定ボタン９の操作によりモード決定がなされるまで、ステップＳ２４〜Ｓ２６を繰り返す。図１１は再生モードとしてリスト再生モードが選択された際のモード選択アイコン５１、５２の表示形態を示している。
【００３２】
そして、ステップＳ２７にて、決定された再生モードがリスト再生モードかどうか判断し、再生モードがリスト再生モードならばステップＳ２８にて制御リストalbum.lst内の先頭のファイルパスの画像を液晶表示部４に表示し、ステップＳ２９に進み、再生モードが通常再生モードならばDCIMフォルダ内の先頭画像を表示しステップＳ３０にて進む。
【００３３】
ステップＳ３０では、再生している画像上に現在の再生モードを示す再生モード情報アイコンを表示する。図１２に再生モードが通常再生モードの際の再生モード情報アイコン５３を、また図１３に再生モードがリスト再生モードの際の再生モード情報アイコン５４を示す。
【００３４】
そして、ステップＳ３１にて表示画像の更新指示があるかどうかを判断し、更新指示があるとステップＳ３２にて再生モードに従って表示画像を更新し、ステップＳ３３にて再生モードの変更指示があるかどうか判断し、さらにステップＳ３４にて画像再生終了指示がなされるまで、ステップＳ３１〜Ｓ３４を繰り返す。なお、ステップＳ３２にて再生モードの変更指示があると、ステップＳ２３に戻り、ステップＳ３１にて表示画像の更新指示がない場合にはステップＳ３１からステップＳ３３に処理が移行される。
【００３５】
このように本実施例では、制御リストへ未登録の非DCF規格の位置にあるファイルを検知すると、この非DCF規格の位置にあるファイルのファイルパスを制御リストに登録するので、制御リストに基づいて簡単かつ確実に非DCF規格の位置にあるファイルを再生することができる。
【実施例２】
【００３６】
図１４ないし図１６は本発明の実施例２に係わり、図１４は制御リストの作成処理の流れを示すフローチャート、図１５は図１４の全ファイルの制御リスト追加処理の流れを示すフローチャート、図１６は図１４及び図１５で生成された制御リストを含むフォルダ構成を示す図である。
【００３７】
実施例２は、実施例１とほとんど同じであるので、異なる点のみ説明する。
【００３８】
本実施例では、図１４に示すように、再生不可位置ファイルの制御リスト追加処理の代わりにステップＳ４ａの全ファイルの制御リスト追加処理が実行される。
【００３９】
この全ファイルの制御リスト追加処理は、図１５に示すように、ステップＳ１１ａにて画像記録部２４内の全てのファイルの検索を行う。その他の処理は実施例１と同じである。
【００４０】
この図１４及び図１５の処理により、図１６に示すように、制御リストalbum.lstには、画像記録部２４内の全てのファイルのファイルパスが登録される。
【００４１】
このように本実施例では、全ファイルのファイルパスを制御リストに登録するので、制御リストのみに基づき、DCIMフォルダ内のファイル及び非DCF規格の位置にあるファイルの全てのファイルが再生できるので、高速にファイル再生が実行できる。
【実施例３】
【００４２】
図１７及び図１８は本発明の実施例３に係わり、図１７は制御リストの作成処理の流れを示すフローチャート、図１８は図１７の処理を説明する図である。
【００４３】
実施例３は、実施例１及び２とほとんど同じであるので、異なる点のみ説明する。
【００４４】
本実施例では、制御リストalbum.lstへのファイルパスの追加処理を、実施例１の再生不可位置ファイルの制御リスト追加処理あるいは実施例２の全ファイルの制御リスト追加処理を選択して実行する実施例である。
【００４５】
すなわち、本実施例では、図１７に示すように、ステップＳ１〜Ｓ３の処理後に、ステップＳ４１にて、制御リスト作成モードを選択する図１８に示すような制御リスト作成モード選択画面を液晶表示部４に表示する。この制御リスト作成モード選択画面は全画像登録アイコン６１及び再生不可位置画像登録アイコン６２とからなり、全画像登録アイコン６１を選択することで実施例２の全ファイルの制御リスト追加処理により制御リストにファイルパスが追加され、再生不可位置画像登録アイコン６１を選択することで実施例１の再生不可位置ファイルの制御リスト追加処理により制御リストにファイルパスが追加されるようになっている。
【００４６】
この制御リスト作成モード選択画面にて全画像登録アイコン６１あるいは再生不可位置画像登録アイコン６２が選択・決定されると、ステップＳ４２にて制御リスト作成モードが全画像登録かどうか判断し、全画像登録ならばステップＳ４ａの全ファイルの制御リスト追加処理を実行し、再生不可位置画像登録ならばステップＳ４３に進む。
【００４７】
ステップＳ４３〜Ｓ４６は、再生不可位置画像登録の際に、DCF規格に基づき再生可能なDCIMフォルダ内のファイルのファイルパスを制御リストから削除する処理であって、ステップＳ４３にて制御リスト内のファイルパスを検索し、ステップＳ４４にてそのファイルパスがDCF規格に基づく通常再生可能な位置のファイルパスかどうか判断し、通常再生可能な位置のファイルパスの場合はステップＳ４５にて検索したファイルパスを制御リストより削除し、ステップＳ４６にて制御リストでの全ファイルパスの検索が終了するまでステップＳ４３〜Ｓ４６を繰り返す。
【００４８】
そして、ステップＳ４３〜Ｓ４６の処理によりDCF規格に基づき再生可能なDCIMフォルダ内のファイルのファイルパスが制御リストから削除されると、ステップＳ４にて再生不可位置ファイルの制御リスト追加処理が実行され、ステップＳ５にて画像記録部２４内のファイル検索が終了するまで再生不可位置ファイルの制御リスト追加処理を繰り返す。
【００４９】
このように本実施例では、ユーザが選択的に制御リストの追加方法を選択できるので、実施例１あるいは実施例２の効果を所望の効果として得ることが可能となる。
【実施例４】
【００５０】
図１９ないし図２２は本発明の実施例４に係わり、図１９は制御リストを含むフォルダ構成を示す図、図２０は図１９の制御リストの構成を示す図、図２１は図１９の制御リストのファイルにファイルを追加する再生不可位置ファイルの制御リスト追加処理の流れを示すフローチャート、図２２は図２１の処理の変形例を説明する図である。
【００５１】
実施例４は、実施例１とほとんど同じであるので、異なる点のみ説明する。
【００５２】
本実施例では、図１９に示すように、制御リストをメイン制御リスト及びアルバム用制御リストからなる階層構造とし、図２０に示すように、メイン制御リストにはアルバム用制御リストが格納されているAlbumフォルダのファイルパスを登録し、アルバム用制御リストに非DCF規格の位置にあるファイルのファイルパスを登録する。
【００５３】
詳細には、本実施例の再生不可位置ファイルの制御リスト追加処理は、図２１に示すように、ステップＳ１１及びＳ１２により再生不可位置ファイルの検索及びファイルパス取得の処理後に、ステップＳ５１にて再生不可位置ファイルを所定の属性別に分類する。
【００５４】
そして、ステップＳ５２にて所定の属性に応じたアルバム用制御リストがすでに存在するかどうか判断し、所定の属性に応じたアルバム用制御リストが存在する場合には、ステップＳ５３にて現在検索している再生不可位置ファイルのファイルパスとアルバム用制御リスト内のファイルパスとを比較し、ステップＳ５４にて再生不可位置ファイルのファイルパスがアルバム用制御リストに登録済みかどうか判断し、未登録ならばステップＳ５５にてアルバム用制御リストに再生不可位置ファイルのファイルパスを追加する。
【００５５】
また、ステップＳ５２にて所定の属性に応じたアルバム用制御リストが存在しないと判断すると、ステップＳ５６にて所定の属性に応じたアルバム用制御リストを新規作成し、ステップＳ５７にて作成したアルバム用制御リストに所定の属性の情報を付加して、ステップＳ５８にてメイン制御リストに該アルバム用制御リストのファイルパスを追加登録し、ステップＳ５５に進む。
【００５６】
このように本実施例では、実施例１の効果に加え、非DCF規格のファイルを所望の目的別に分類できるので、効果的に非DCF規格のファイルを管理することができる。
【００５７】
なお、本実施例ではアルバム用制御リストを分類する属性は予め設定された所定の属性としたが、これに限らず、図２２に示すようなアルバム管理選択画面を液晶表示部４に表示してアルバム用制御リストを分類する属性を選択可能にしてもよい。
【００５８】
すなわち、図２２のアルバム管理選択画面は、アルバム用制御リストを分類する属性を選択する画面であって、例えば、アルバム用制御リストを分類する属性をフォルダ名とするフォルダ名別分類指定アイコン７１、アルバム用制御リストを分類する属性を画像の撮影時期とする撮影時期別分類指定アイコン７２、アルバム用制御リストを分類する属性を画像の品質（高品質、標準、低品質等）とする品質別分類指定アイコン７３、アルバム用制御リストを分類する属性を画像を撮影した機器情報（メーカ名、型名、ファームウエアバージョン等）とする機器情報別分類指定アイコン７４、アルバム用制御リストを分類する属性を撮影モード（単写モード、連写モード、パノラマモード等）とする撮影モード別分類指定アイコン７５、あるいはアルバム用制御リストを分類する属性を登録するファイルのファイル形式（JPEG,TIFF,QuickTimeMotionJPEG,MPEG2,MOV,WAV等）とするファイル形式別分類指定アイコン７６等から構成される。
【実施例５】
【００５９】
図２３ないし図２５は本発明の実施例５に係わり、図２３は制御リストのファイルにファイルを追加する全ファイルの制御リスト追加処理の流れを示すフローチャート、図２４は図２３の処理で生成された制御リストを含むフォルダ構成を示す図、図２５は図２４の制御リストの構成を示す図である。
【００６０】
実施例５は、実施例４とほとんど同じであるので、異なる点のみ説明する。
【００６１】
本実施例では、再生不可位置ファイルの制御リスト追加処理の代わりに、図２３に示すように、実施例２のように全ファイルの制御リスト追加処理を実行する。すなわち、実施例４では、ステップＳ１１及びＳ１２により再生不可位置ファイルの検索及びファイルパス取得の処理を実行するが、本実施例では、実施例２のようにステップＳ１１ａ及びＳ１２により全ファイルの検索及びファイルパス取得の処理を実行し、ステップＳ５１の処理に移行する。その後の処理は実施例４と同じなので、説明は省略する。
【００６２】
図２３の処理を実行することで、図２４に示すように、非DCF規格の位置にあるファイル及びDCF規格のDCIMフォルダ内のファイルのそれぞれのファイルパスを分類して登録した複数のアルバム用制御リストが生成され、メイン制御リストにこれら複数のアルバム用制御リストのファイルパスが登録される。
【００６３】
図２５にメイン制御リスト及びアルバム用制御リストの具体例を示す。図２５では、アルバム用制御リストとして、rootの直下の非DCF規格の位置にあるファイルを登録したアルバム用制御リストalbum001.lstと、￥××旅行フォルダ内の非DCF規格の位置にあるファイルを登録したアルバム用制御リストalbum002.lstと、DCF規格のDCIMフォルダの100OLYMPフォルダを登録したアルバム用制御リストalbum003.lstと、DCF規格のDCIMフォルダの101OLYMPフォルダを登録したアルバム用制御リストalbum004.lstとを示している。
【００６４】
このように本実施例では、実施例４と同様に、実施例２の効果に加え、非DCF規格の位置にあるファイルを含む全ファイルを所定の属性別に分類できるので、効果的に非DCF規格の位置にあるファイルを管理することができる。
【００６５】
なお、本実施例においてもアルバム用制御リストを分類する属性を選択可能にしてもよい（図２２参照）。
【実施例６】
【００６６】
図２６ないし図３１は本発明の実施例６に係わり、図２６は制御リストを含むフォルダ構成を示す図、図２７は図２６の制御リストの構成を示す図、図２８は図２６の制御リストの作成処理の流れを示すフローチャート、図２９は図２６の制御リストの変形例を含むフォルダ構成を示す図、図３０は図２９の制御リストの構成を示す図、図３１は図２６の制御リストに基づくファイル再生処理の流れを示すフローチャートである。
【００６７】
実施例６は、実施例４ほとんど同じであるので、異なる点のみ説明する。
【００６８】
実施例４では、再生不可位置ファイルに対して所定の属性に応じたアルバム用制御リストを生成するとしたが、本実施例では、図２６に示すように、再生不可位置ファイルを対象としたアルバム用制御リストalbuminv.lstと、全ファイルを対象としたアルバム用制御リストalbumall.lstとを生成し、メイン制御リストにalbuminv.lst及びalbumall.lstのファイルパスを登録する。図２７にメイン制御リスト及びアルバム用制御リストの具体例を示す。
【００６９】
詳細には、図２８に示すように、ステップＳ１〜Ｓ３の処理後に、ステップＳ６１にて全ファイルを対象とした制御リストを作成するかあるいは再生不可位置ファイルを対象とした制御リストを生成するかの選択画面（図示せず）を表示し、ステップＳ６２にて全ファイルを対象とした制御リストの作成が選択されたかどうか判断する。
【００７０】
再生不可位置ファイルを対象とした制御リストの作成が選択されると、ステップＳ６３にてalbuminv.lstがすでに存在するかどうか判断し、albuminv.lstがない場合には、ステップＳ６４にてalbuminv.lstを生成し、ステップＳ６５にてメイン制御リストにalbuminv.lstのファイルパスを追加登録し、ステップＳ４の再生不可位置ファイルの制御リスト追加処理を実行する。また、albuminv.lstがすでに存在する場合には、ステップＳ６３からステップＳ４に直接処理が移行される。なお、ステップＳ４の再生不可位置ファイルの制御リスト追加処理は実施例１と同じであるが、再生不可位置ファイルのファイルパスはalbuminv.lstに登録される。
【００７１】
また、全ファイルを対象とした制御リストの作成が選択されると、ステップＳ６６にてalbumall.lstがすでに存在するかどうか判断し、albumall.lstがない場合には、ステップＳ６７にてalbumall.lstを生成し、ステップＳ６８にてメイン制御リストにalbumall.lstのファイルパスを追加登録し、ステップＳ４ａの全ファイルの制御リスト追加処理を実行する。また、albumall.lstがすでに存在する場合には、ステップＳ６６からステップＳ４ａに直接処理が移行される。なお、ステップＳ４ａの全ファイルの制御リスト追加処理は実施例２と同じであるが、全ファイルのファイルパスはalbumall.lstに登録される。
【００７２】
なお、図２９に示すように、アルバム用制御リストをalbumall.lst及びalbuminv.lst以外に複数生成してか階層構造としてもよい。
【００７３】
すなわち、例えば図２９に示すように、albumall.lst及びalbuminv.lst以外のアルバム用制御リストとして、album001.lst、album002.lst、album003.lst、album004.lst、album005.lst、album006.lstのように６つ生成し、各アルバム用制御リストに図３０に示すように、フォルダ別に各ファイルのファイルパスを登録するようにしてもよい。この場合、albumall.lstには全ファイルのフォルダ別のアルバム用制御リストのファイルパスが登録され、また、albuminv.lstには再生不可位置ファイルのフォルダ別のアルバム用制御リストのファイルパスが登録され、さらにメイン制御リストにはalbumall.lst及びalbuminv.lstのファイルパスが登録されて、階層別に各ファイルが制御リストに基づき管理されることになる。
【００７４】
本実施例では、メイン制御リストが指定するアルバム用制御リストが、albumall.lst及びalbuminv.lstのように少なくとも２つ存在するため、制御リストに基づく情報再生を行う場合には、albumall.lstあるいはalbuminv.lstを設定する必要があるため、情報再生処理が図３１に示すようなフローチャートにより実行される。
【００７５】
すなわち、図３１に示すように、実施例１の図８の処理のステップＳ２１〜Ｓ２６の処理後に、ステップＳ２７にてリスト再生モードが選択されると、ステップＳ８１にて現在の制御リスト登録モードが全ファイルを登録する全ファイルモードかどうか判断する。この全ファイルモードかどうかの判断は、図２８のステップＳ６２で説明した全ファイルを対象とした制御リストの作成の選択内容が例えばフラグとして ＣＰＵ２１に格納・保存されているので、このフラグを参照することで、現在の制御リスト登録モードが全ファイルを登録する全ファイルモードかどうか判断する。
【００７６】
そして、全ファイルモードではなく再生不可位置ファイルモードであるならば、ステップＳ８２にてalbuminv.lstのファイルパスを選択してステップＳ２８に進み、全ファイルモードならばステップＳ８３にてalbumall.lstのファイルパスを選択してステップＳ２８に進む。その後の処理は実施例１の図８の処理と同じである。
【００７７】
このように本実施例では、実施例１の効果に加え、制御リストを階層構造とするので、効果的に非DCF規格の位置にあるファイルを管理することができる。
【実施例７】
【００７８】
図３２及び図３３は本発明の実施例７に係わり、図３２は制御リストの構成を示す図、図３３は図３２の制御リストにファイルを追加するファイル制御リスト追加処理の流れを示すフローチャートである。
【００７９】
実施例７は、実施例６ほとんど同じであるので、異なる点のみ説明する。
【００８０】
実施例６では、制御リストを階層構造とし、全ファイルをalbumall.lstにて管理し、再生不可位置ファイルをalbuminv.lstにて管理したが、本実施例では、図３２に示すように、制御リストに再生不可位置ファイル登録領域及び全ファイル登録領域を確保し、１つの制御リストで再生不可位置ファイル及び全ファイルを管理するようにいている。
【００８１】
なお、再生不可位置ファイル登録領域は、例えば文字列「再生不可位置ファイル：」及び文字列「：再生不可位置ファイル終了」を検知することで、この２つの文字列間により指定される。同様に、全ファイル登録領域は、例えば文字列「全ファイル：」及び文字列「：全ファイル終了」を検知することで、この２つの文字列間により指定される。
【００８２】
本実施例のファイル制御リスト追加処理は、図３３に示すように、ステップＳ１００にてユーザの指示により全ファイルを登録するかどうかを判断し、再生不可位置ファイル登録が選択されると、ステップＳ１０１にて再生不可位置ファイル登録領域がすでに制御リスト内に存在するかどうか判断し、再生不可位置ファイル登録領域が存在しない場合は、ステップＳ１０２にて再生不可位置ファイル登録領域を文字列「再生不可位置ファイル：」及び文字列「：再生不可位置ファイル終了」により新規作成（確保）する。
【００８３】
そして、ステップＳ１０３にて再生不可位置ファイルを検索し、ステップＳ１０４にて検索したファイルのファイルパスを取得する。その後、ステップＳ１０５にて再生不可位置ファイル登録領域内のファイルパスと取得したファイルパスを比較し、ステップＳ１０６にて同一のファイルパスが存在するかどうか判断し、同一のファイルパスが存在する場合は処理を終了し、同一のファイルパスが存在しない場合はステップＳ１０７にて制御リストにファイルパスを追加して処理を終了する。
【００８４】
ステップＳ１００にて全ファイル登録が選択されると、ステップＳ１０８にて全ファイル登録領域がすでに制御リスト内に存在するかどうか判断し、全ファイル登録領域が存在しないが場合は、ステップＳ１０９にて全ファイル登録領域を文字列「全ファイル：」及び文字列「：全ファイル終了」により新規作成（確保）する。
【００８５】
そして、ステップＳ１１０にて全ファイルを検索し、ステップＳ１１１にて検索したファイルのファイルパスを取得する。その後、ステップＳ１１２にて全ファイル登録領域内のファイルパスと取得したファイルパスを比較し、ステップＳ１０６に進む。
【００８６】
このように本実施例では、１つの制御リストで、実施例６と同様な効果を得ることが可能である。
【００８７】
本発明は、上述した実施例に限定されるものではなく、本発明の要旨を変えない範囲において、種々の変更、改変等が可能である。
【図面の簡単な説明】
【００８８】
【図１】本発明の実施例１に係るＤＳＣの背面構成を示す外観図
【図２】図１のＤＳＣの構成を示すブロック図
【図３】図１のＤＳＣでの画像・音声・動画等のコンテンツからなるフォルダ構成を示す図
【図４】図１のＣＰＵ２１による制御リストの作成処理の流れを示すフローチャート
【図５】図４の再生不可位置ファイルの制御リスト追加処理の流れを示すフローチャート
【図６】図４及び図５で生成された制御リストを含むフォルダ構成を示す図
【図７】図６の制御リストの構成を示す図
【図８】図１のＣＰＵ２１によるファイル再生処理の流れを示すフローチャート
【図９】図８の処理を説明する第１の図
【図１０】図８の処理を説明する第２の図
【図１１】図８の処理を説明する第３の図
【図１２】図８の処理を説明する第４の図
【図１３】図８の処理を説明する第５の図
【図１４】本発明の実施例２に係る制御リストの作成処理の流れを示すフローチャート
【図１５】図１４の全ファイルの制御リスト追加処理の流れを示すフローチャート
【図１６】図１４及び図１５で生成された制御リストを含むフォルダ構成を示す図
【図１７】本発明の実施例３に係る制御リストの作成処理の流れを示すフローチャート
【図１８】図１７の処理を説明する図
【図１９】本発明の実施例４に係る制御リストを含むフォルダ構成を示す図
【図２０】図１９の制御リストの構成を示す図
【図２１】図１９の制御リストのファイルにファイルを追加する再生不可位置ファイルの制御リスト追加処理の流れを示すフローチャート
【図２２】図２１の処理を説明する図
【図２３】本発明の実施例５に係る制御リストのファイルにファイルを追加する全ファイルの制御リスト追加処理の流れを示すフローチャート
【図２４】図２３の処理で生成された制御リストを含むフォルダ構成を示す図
【図２５】図２４の制御リストの構成を示す図
【図２６】本発明の実施例６に係る制御リストを含むフォルダ構成を示す図
【図２７】図２６の制御リストの構成を示す図
【図２８】図２６の制御リストの作成処理の流れを示すフローチャート
【図２９】図２６の制御リストの変形例を含むフォルダ構成を示す図
【図３０】図２９の制御リストの構成を示す図
【図３１】図２６の制御リストに基づくファイル再生処理の流れを示すフローチャート
【図３２】本発明の実施例７に係る制御リストの構成を示す図
【図３３】図３２の制御リストにファイルを追加するファイル制御リスト追加処理の流れを示すフローチャート
【符号の説明】
【００８９】
２…ＤＳＣ
４…液晶表示部
５…ファインダ
６…パワーＬＥＤ
９…選択／決定ボタン
１０…シャッタ
１１…モード選択ダイヤル
１９…圧縮伸長エンジン
２０…撮像装置
２１…ＣＰＵ
２２…ＲＯＭ
２３…ＲＡＭ
２４…画像記憶部
２５…ファイル管理部
２６…外部Ｉ／Ｆ
代理人    弁理士    伊藤  進
【図１】
2006050001.tif 000003
【図２】
2006050001.tif 000004
【図３】
2006050001.tif 000005
【図４】
2006050001.tif 000006
【図５】
2006050001.tif 000007
【図６】
2006050001.tif 000008
【図７】
2006050001.tif 000009
【図８】
2006050001.tif 000010
【図９】
2006050001.tif 000011
【図１０】
2006050001.tif 000012
【図１１】
2006050001.tif 000013
【図１２】
2006050001.tif 000014
【図１３】
2006050001.tif 000015
【図１４】
2006050001.tif 000016
【図１５】
2006050001.tif 000017
【図１６】
2006050001.tif 000018
【図１７】
2006050001.tif 000019
【図１８】
2006050001.tif 000020
【図１９】
2006050001.tif 000021
【図２０】
2006050001.tif 000022
【図２１】
2006050001.tif 000023
【図２２】
2006050001.tif 000024
【図２３】
2006050001.tif 000025
【図２４】
2006050001.tif 000026
【図２５】
2006050001.tif 000027
【図２６】
2006050001.tif 000028
【図２７】
2006050001.tif 000029
【図２８】
2006050001.tif 000030
【図２９】
2006050001.tif 000031
【図３０】
2006050001.tif 000032
【図３１】
2006050001.tif 000033
【図３２】
2006050001.tif 000034
【図３３】
2006050001.tif 000035